(57)【要約】【課題】  絵文字を含む定型文を簡単に登録でき、この登録した定型文を文字入力に利用しやすくした電子機器を得る。【解決手段】  ボタン操作部４をユーザが操作することにより、ＲＯＭ３の制御プログラムがＣＰＵ２により実行され、表示部１に表示された文字入力画面中の文字列の始点及び終点が選択され、次いで文字列に対応する意味情報が入力された後に、メニュー位置を選択し、この選択されたメニュー位置情報と共に文字列及び意味情報がＲＡＭ５に登録保存され、これを利用するときは、メニューを選択することによりＲＡＭ５から文字入力画面に読出され、文字入力に利用できるようにして利便性の向上ができ、及び絵文字の意味情報が登録できることによる絵文字の利用にも便利になる。【選択図】図１ 
2005339017.tif 000002
【特許請求の範囲】
【請求項１】
ユーザにより操作される操作部、この操作部の操作により文字列を定型文として登録する制御部、及びこの制御部により上記登録された定型文を格納するＲＡＭを備え、上記制御部により登録される定型文には上記定型文に対応する意味情報が含まれることを特徴とする電子機器。
【請求項２】
上記制御部は、上記登録した定型文を表示すると共に、上記定型文に対応する意味情報を表示することを特徴とする請求項1記載の電子機器。
【発明の詳細な説明】
【技術分野】
【０００１】
この発明は、ユーザが文字列入力中に利用する定型文を登録できるようにした通信端末装置などの電子機器に関するものである。
【背景技術】
【０００２】
従来の通信端末装置の定型文による文字列入力は、あらかじめ登録した定型文の文字列を用いて行われる。この定型文は、文字列入力中は、登録できないため、使用者が文章を作成中に、何度も同じ長い文字列を使用する場合でも、定型文への登録ができず、予め登録した文字列を使うしかなく、毎回、コピー機能および推測変換機能などを使用して文章を作成しており、このため、文章作成に時間がかかる一因となっていた。
また、通信端末装置で使用できる文字数に限界があるために、近年、文章に自作した絵文字列を使用する頻度が高くなってきている。しかし、自作した絵文字列の意味を忘れてしまうことが多いため、改めて登録し直す必要が生じる。
特許文献１の携帯通信端末には、文字列入力中でも定型文の登録を行えるように、文章入力中に、文章中の文字列の範囲を指定して、指定された範囲の文字列を辞書に登録できるようにしている。
【０００３】
【特許文献１】特開２００３−２０８４２４号公報（段落番号００１４〜００４１、図１）
【発明の開示】
【発明が解決しようとする課題】
【０００４】
特許文献１は、文字列の登録方法の技術にすぎず、絵文字のように、それ自体では意味の不明確な文字列の取扱いに便利なようにはなっていない。すなわち、絵文字の意味を入力する機能がなく、例えば、携帯電話の絵文字だけの場合には文字列の意味入力が無いため、絵文字列の意味を忘れてしまうと、再度、使用することができなくなるため、文字列が絵文字の場合には、登録した効果が期待できないという問題があった。
【０００５】
この発明は、上述のような課題を解決するためになされたものであり、絵文字を含む定型文を簡単に登録でき、この登録した定型文を文字入力に利用しやすくした電子機器を得ることを目的にしている。
【課題を解決するための手段】
【０００６】
この発明に係わる電子機器においては、ユーザにより操作される操作部、この操作部の操作により文字列を定型文として登録する制御部、及びこの制御部により登録された定型文を格納するＲＡＭを備え、制御部により登録される定型文には定型文に対応する意味情報が含まれるものである。
【発明の効果】
【０００７】
この発明は、以上説明したように、ユーザにより操作される操作部、この操作部の操作により文字列を定型文として登録する制御部、及びこの制御部により登録された定型文を格納するＲＡＭを備え、制御部により登録される定型文には定型文に対応する意味情報が含まれるので、登録される定型文が、絵文字の場合などにはその意味情報をも登録でき、利便性が向上する。
【発明を実施するための最良の形態】
【０００８】
実施の形態１．
図１は、この発明の実施の形態１による電子機器の構成を示すブロック図である。
図１において、表示部１は、文字情報あるいは画像情報を表示する。ＣＰＵ２（制御部）は、ＲＯＭ３に記憶された制御プログラムに従い、ボタン操作部４からの操作によって処理を行う。ＲＯＭ３は、制御プログラムや定型文データなどの固定データを保存すると共に、ＲＡＭ５に定型文データ１を保存する制御プログラムを有する。ボタン操作部４（操作部）は、文字入力を行う上で必要な決定キー、クリアキー、変換キー、０〜９キーなどを有する。ＲＡＭ５は、電源オフしてもデータが保持される不揮発性であり、使用者が入力したデータを保存すると共に、定型文データ１を保持する領域を有している。
【０００９】
図２は、この発明の実施の形態１による電子機器の文字入力画面及び特殊モードメニュー画面の例を示す図であり、図２（ａ）は、文字入力画面例、図２（ｂ）は、特殊モードメニュー画面例である。
図３は、この発明の実施の形態１による電子機器の定型文登録画面及び表示文字を示す図であり、図３（ａ）は、定型文登録の始点選択画面例、図３（ｂ）は、定型文登録の終点選択画面例、図３（ｃ）は、表示文字とこの表示文字に対応する意味情報とを表示する表示文字及び文字意味画面例、図３（ｄ）は、表示文字の変更画面例で、選択キーを押すことにより各画面が切り替えられる。
【００１０】
図４は、この発明の実施の形態１による電子機器の定型文登録選択画面の例を示す図である。
図５は、この発明の実施の形態１による電子機器の定型文選択画面の例を示す図である。
【００１１】
図６は、この発明の実施の形態１による電子機器の定型文登録処理を示すフローチャートである。
図７は、この発明の実施の形態１による電子機器の定型文使用処理を示すフローチャートである。
図８は、この発明の実施の形態１による電子機器の文字入力画面の例を示す図である。
【００１２】
次に、動作について説明する。
実施の形態１は、ＲＡＭ５の領域を用いて、定型文の登録を行い、その登録した定型文を読出し、文字入力に利用できるようにしたもので、絵文字などの登録文字については、その意味をも登録できるようにし、利用の便を図ったものである。
実施の形態１では、図２（ｂ）に示される特殊モードメニューに定型文登録を追加し、この定型文登録が選択された場合、図３（ａ）のような定型文登録の始点選択画面に切替え、定型文登録の始点選択を行うと、図３（ｂ）の定型文登録の終点選択画面に切替えられる。その後、終点選択画面の選択キーを押すと、図３（ｃ）の定型文選択時の表示文字および文字意味画面となる。このとき、絵文字などが表示文字の場合には、その意味を文字意味画面に入力することで、絵文字の意味を登録することができる。このように、選択キーを押すことにより、図３の各画面を変更することが可能である。
【００１３】
図４は、図３（ｃ）の表示文字および文字意味画面時において、登録キーを押した場合に、図３（ｃ）の画面の定型文が定型文データ１に上書き登録されるときの画面の例である。実施の形態１は、ＲＯＭ３上の定型文データを基本に、追加した文字列を内蔵ＲＡＭデータとして、定型文データ１に格納していく。この実施の形態１では、端末に従来から備わった機能である定型文登録メニューを使用するため、ＲＯＭ３容量の変更を行う必要が無い。
図４で登録した定型文は、図５の定型文選択画面により確認することができる。
【００１４】
次に、図６の定型文登録処理について、図１を参照して説明する。
図２（ａ）の文字入力画面（ステップＳ１）において、特殊キー押下することにより、ボタン操作部４からＣＰＵ２にキー押下信号通知を伝達する。そして、ＲＯＭ３上の制御プログラムにより、図２（ｂ）の特殊モードメニュー画面を表示するために、表示部１に表示通知を伝達する。これにより図２（ｂ）の特殊モードメニュー画面が表示され（ステップＳ２）、この画面で、０２定型文登録を選択することにより、図３（ａ）の定型文登録の始点選択画面が表示され（ステップＳ３）、次いで、この画面で選択キーを押下することにより、図３（ｂ）の定型文登録の終点選択画面が表示され（ステップＳ４）、この画面で、選択キーを押下することにより、図３（ｃ）の表示文字及び文字意味画面が表示され（ステップＳ５）、このとき、絵文字などが表示文字の場合には、その意味を文字意味画面に入力することで、絵文字の意味を登録することができる。
次いで、この画面で登録キーを押下することにより、図４の定型文登録選択画面が表示される（ステップＳ６）。その後、定型文を登録する位置を選択すると、ボタン操作部４からＣＰＵ２にキー押下信号通知を伝達し、位置データと登録データをＲＡＭ５上の定型文データ１に格納し（ステップＳ７）、元の図２（ａ）の文字入力画面を表示するために、表示部１に表示通知を伝達する。
【００１５】
次に、図７を用いて、定型文使用処理について説明する。
まず、図６の処理と同様に、図２（ａ）の文字入力画面を表示する（ステップＳ１１）。この画面で、特殊キーを押下して、特殊モードメニュー画面を表示する（ステップＳ１２）。その後、この画面で、０１定型文を選択すると、ボタン操作部４からＣＰＵ２にキー押下信号通知が伝達される。そして、ＲＯＭ３上の定型文データとＲＡＭ５上の定型文データ１より、図５の定型文選択画面を作成し、表示するために、表示部に表示通知を伝達する（ステップＳ１３）。これにより図５の定型文選択画面が表示される（ステップＳ１４）。
そして、この画面で、例えば０１を選択して、選択キーを押下することにより、ボタン操作部４からＣＰＵ２にキー押下信号通知を伝達する。ＲＯＭ３上の制御プログラムより、該当の定型文データを取り出し、図８の文字入力画面に表示するデータを作成し、表示するために、表示部１に表示通知を伝達する。これにより、０１の定型文データが表示された図８の文字入力画面が表示される（ステップＳ１６）。
なお、ステップＳ１４で、表示された定型文を選択し、サブメニューキーを選択し、詳細を選択すると、図３（ｃ）の表示文字及び文字意味画面が表示され、選択した定型文の意味が表示される（ステップＳ１５）。この画面で、戻るキーを押下すると、ふたたび図５の定型文選択画面が表示される。
【００１６】
次に、図５の定型文選択画面に表示される表示データの作成方法について、説明する。
まず、ＲＯＭ３上の定型文データをＲＡＭ５上に展開し、デフォルトの定型文選択画面表示データを作成する。その後、ＲＡＭ５上の定型文データ１が存在するかどうかをチェックする。存在しない場合は、そのまま、先ほどの作成データを表示部１に伝達する。
ＲＡＭ５上の定型文データ１が存在する場合は、定型文データ１に格納されている位置データより、先ほどの作成データの上書きを実施する位置を算出する。そして、その位置に定型文データ１を上書きし、表示部１に伝達するデータを作成する。
【００１７】
実施の形態１によれば、文字列の意味を登録することができるので、絵文字入り文字列などの意味を登録し、絵文字入り文字列の辞書として使用することも可能になる。
【図面の簡単な説明】
【００１８】
【図１】この発明の実施の形態１による電子機器の構成を示すブロック図である。
【図２】この発明の実施の形態１による電子機器の文字入力画面及び特殊モードメニュー画面の例を示す図である。
【図３】この発明の実施の形態１による電子機器の定型文登録画面及び表示文字を示す図である。
【図４】この発明の実施の形態１による電子機器の定型文登録選択画面の例を示す図である。
【図５】この発明の実施の形態１による電子機器の定型文選択画面の例を示す図である。
【図６】この発明の実施の形態１による電子機器の定型文登録処理を示すフローチャートである。
【図７】この発明の実施の形態１による電子機器の定型文使用処理を示すフローチャートである。
【図８】この発明の実施の形態１による電子機器の文字入力画面の例を示す図である。
【符号の説明】
【００１９】
１  表示部
２  ＣＰＵ
３  ＲＯＭ
４  ボタン操作部
５  ＲＡＭ
【図１】
2005339017.tif 000003
【図２】
2005339017.tif 000004
【図３】
2005339017.tif 000005
【図４】
2005339017.tif 000006
【図５】
2005339017.tif 000007
【図６】
2005339017.tif 000008
【図７】
2005339017.tif 000009
【図８】
2005339017.tif 000010